(57)【要約】【課題】紙葉類の表裏を反転して表裏を揃えることのできるコンパクトな紙葉類表裏整理装置を提供する。【解決手段】表裏鑑別部８によって紙幣が裏状態であると鑑別された場合には、紙幣は、搬入部２によって紙幣表裏整理装置１内に搬入された後、第１反転部３によって表裏反転され、搬出部４によって紙幣表裏整理装置１から表状態で搬出される。一方、表裏鑑別部８によって紙幣が表状態であると鑑別された場合には、紙幣は、搬入部２によって紙幣表裏整理装置１内に搬送された後、方向変換反転部５によって表裏反転され、搬送部６によって搬送され、第２反転部７によって表裏反転されて、搬出部４によって紙幣表裏整理装置から表状態で搬出される。【選択図】図１
2012121656.tif 000002
【特許請求の範囲】
【請求項１】
紙葉類の表裏を揃える紙葉類表裏整理装置であって、
前記紙葉類を前記紙葉類表裏整理装置内に搬入する搬入部と、
該搬入部によって搬送された前記紙葉類を、前記搬入部によって搬送される方向に沿って表裏反転させる第１反転部と、
前記搬入部によって搬送された前記紙葉類を、前記搬入部によって搬送される方向に対して垂直な方向に変換した後、変換された搬送方向に沿って表裏反転させる方向変換反転部と、
該方向変換反転部によって表裏反転された前記紙葉類を、前記変換された搬送方向に対して垂直な方向に搬送する搬送部と、
該搬送部によって搬送された前記紙葉類を、前記搬送部によって搬送される方向に沿って表裏反転させる第２反転部と、
前記第１反転部及び前記第２反転部によって表裏反転された前記紙葉類を前記紙葉類表裏整理装置から搬出する搬出部と
を備え、
前記紙葉類は、
ａ）前記搬入部によって前記紙葉類表裏整理装置内に搬入された後、前記第１反転部によって表裏反転され、前記搬出部によって前記紙葉類表裏整理装置から搬出される、又は、
ｂ）前記搬入部によって前記紙葉類表裏整理装置内に搬送された後、前記方向変換反転部によって表裏反転され、前記搬送部によって搬送され、前記第２反転部によって表裏反転されて、前記搬出部によって前記紙葉類表裏整理装置から搬出される
のいずれかのルートを通ることによって表裏が揃えられる紙葉類表裏整理装置。
【請求項２】
前記第１反転部は、
少なくとも一対の第１反転部搬入固定ローラ及び第１反転部搬入可動ローラからなる第１反転部搬入手段と、
該第１反転部搬入手段によって搬送された前記紙葉類を、その搬送方向に沿って表裏反転させる第１反転手段と
を備え、
前記方向変換反転部は、
方向変換固定ローラと、前記搬入部と前記第１反転部との間に設けられた第１可動ローラと、前記方向変換固定ローラに対して前記第１可動ローラとは反対側に設けられた第２可動ローラとからなる組合せを少なくとも１組有する方向変換手段と、
前記方向変換固定ローラ及び前記第１可動ローラによって搬送された前記紙葉類を、その搬送方向に沿って表裏反転させる第２反転手段と
を備え、
前記搬送部は、少なくとも一対の搬送部固定ローラ及び搬送部可動ローラを備え、
前記紙葉類が前記ａ）のルートを通る場合には、前記第１反転部搬入可動ローラが前記第１反転部搬入固定ローラに接すると共に、前記第１可動ローラが前記方向変換固定ローラから離れ、
前記紙葉類が前記ｂ）のルートを通る場合には、前記第１可動ローラ及び前記第２可動ローラが前記方向変換固定ローラに接すると共に前記第１反転部搬入可動ローラが前記第１反転部搬入固定ローラから離れ、前記第２可動ローラが前記方向変換固定ローラから離れると共に前記搬送部可動ローラが前記搬送部固定ローラに接する、請求項１に記載の紙葉類表裏整理装置。
【請求項３】
前記第１反転部搬入手段から前記第１反転手段への前記紙葉類の搬送を妨げる遮断部材を備え、
前記紙葉類が前記ｂ）のルートを通る場合に、前記遮断部が前記紙葉類の搬送を妨げる、請求項２に記載の紙葉類表裏整理装置。
【請求項４】
前記方向変換固定ローラは２つの側面部を有し、該２つの側面部が前記搬入部による前記紙葉類の搬送方向に対して垂直となるように、前記方向変換固定ローラが設けられ、
前記方向変換固定ローラの前記２つの側面部のうち、少なくとも前記搬入部に面する側の側面部の周縁部が面取りされている、請求項２または３に記載の紙葉類表裏整理装置。
【請求項５】
前記第１反転部搬入固定ローラは２つの側面部を有し、該２つの側面部が、前記搬入部によって搬送される方向に対して垂直な方向に変換した後の前記紙葉類の搬送方向に対して垂直となるように、前記第１反転部搬入固定ローラが設けられ、
前記搬送部固定ローラの前記２つの側面部のうち、少なくとも前記第２反転手段に面する側の側面部とは反対側の側面部の周縁部が面取りされている、請求項２〜４のいずれか一項に記載の紙葉類表裏整理装置。
【請求項６】
前記搬送部固定ローラは２つの側面部を有し、該２つの側面部が、前記第２反転手段によって表裏が反転された後の前記紙葉類の搬送方向に対して垂直となるように、前記搬送部固定ローラが設けられ、
前記搬送部固定ローラの前記２つの側面部のうち、少なくとも前記第２反転手段に面する側の側面部の周縁部が面取りされている、請求項２〜５のいずれか一項に記載の紙葉類表裏整理装置。
【請求項７】
前記紙葉類表裏整理装置は、前記搬入部によって搬入される前記紙葉類の表裏を鑑別する表裏鑑別部を備え、
前記表裏鑑別部が前記紙葉類を裏であると鑑別したときには、前記紙葉類は前記ａ）のルートを通り、前記表裏鑑別部が前記紙葉類を表であると鑑別したときには、前記紙葉類は前記ｂ）のルートを通る、請求項１〜６のいずれか一項に記載の紙葉類表裏整理装置。
【発明の詳細な説明】
【技術分野】
【０００１】
この発明は、紙葉類表裏整理装置に係り、特に、紙幣や投票用紙等の紙葉類の表裏を揃える紙葉類表裏整理装置に関する。
【背景技術】
【０００２】
紙葉類の表裏を反転する従来の装置として、特許文献１には、紙葉類にひねりを加えて紙葉類を反転させるものが記載され、特許文献２には、スイッチバック部により紙葉類を反転させるものが記載されている。
【先行技術文献】
【特許文献】
【０００３】
【特許文献１】特開２００５−２９３５０号公報
【特許文献２】特開平１１−５６６１号公報
【発明の概要】
【発明が解決しようとする課題】
【０００４】
しかしながら、このような従来の方式では、紙葉類にひねりを加える部分やスイッチバック部のスペースが必要となり、装置が大型化してしまうといった問題点があった。
【０００５】
この発明はこのような問題点を解決するためになされたもので、紙葉類の表裏を反転して表裏を揃えることのできるコンパクトな紙葉類表裏整理装置を提供することを目的とする。
【課題を解決するための手段】
【０００６】
この発明に係る紙葉類表裏整理装置は、紙葉類の表裏を揃える紙葉類表裏整理装置であって、紙葉類を紙葉類表裏整理装置内に搬入する搬入部と、搬入部によって搬送された紙葉類を、搬入部によって搬送される方向に沿って表裏反転させる第１反転部と、搬入部によって搬送された紙葉類を、搬入部によって搬送される方向に対して垂直な方向に変換した後、変換された搬送方向に沿って表裏反転させる方向変換反転部と、方向変換反転部によって表裏反転された紙葉類を、変換された搬送方向に対して垂直な方向に搬送する搬送部と、搬送部によって搬送された紙葉類を、搬送部によって搬送される方向に沿って表裏反転させる第２反転部と、第１反転部及び第２反転部によって表裏反転された紙葉類を紙葉類表裏整理装置から搬出する搬出部とを備え、紙葉類は、ａ）搬入部によって紙葉類表裏整理装置内に搬入された後、第１反転部によって表裏反転され、搬出部によって紙葉類表裏整理装置から搬出される、又は、ｂ）搬入部によって紙葉類表裏整理装置内に搬送された後、方向変換反転部によって表裏反転され、搬送部によって搬送され、第２反転部によって表裏反転されて、搬出部によって紙葉類表裏整理装置から搬出される、のいずれかのルートを通ることによって表裏が揃えられる。
第１反転部は、少なくとも一対の第１反転部搬入固定ローラ及び第１反転部搬入可動ローラからなる第１反転部搬入手段と、第１反転部搬入手段によって搬送された紙葉類を、その搬送方向に沿って表裏反転させる第１反転手段とを備え、方向変換反転部は、方向変換固定ローラと、搬入部と第１反転部との間に設けられた第１可動ローラと、方向変換固定ローラに対して第１可動ローラとは反対側に設けられた第２可動ローラとからなる組合せを少なくとも１組有する方向変換手段と、方向変換固定ローラ及び第１可動ローラによって搬送された紙葉類を、その搬送方向に沿って表裏反転させる第２反転手段とを備え、搬送部は、少なくとも一対の搬送部固定ローラ及び搬送部可動ローラを備え、紙葉類がａ）のルートを通る場合には、第１反転部搬入可動ローラが第１反転部搬入固定ローラに接すると共に、第１可動ローラが方向変換固定ローラから離れ、紙葉類がｂ）のルートを通る場合には、第１可動ローラ及び第２可動ローラが方向変換固定ローラに接すると共に第１反転部搬入可動ローラが第１反転部搬入固定ローラから離れ、第２可動ローラが方向変換固定ローラから離れると共に搬送部可動ローラが搬送部固定ローラに接するようにしてもよい。
第１反転部搬入手段から第１反転手段への紙葉類の搬送を妨げる遮断部材を備え、紙葉類がｂ）のルートを通る場合に、遮断部が紙葉類の搬送を妨げるようにしてもよい。
方向変換固定ローラは２つの側面部を有し、２つの側面部が搬入部による紙葉類の搬送方向に対して垂直となるように、方向変換固定ローラが設けられ、方向変換固定ローラの２つの側面部のうち、少なくとも搬入部に面する側の側面部の周縁部が面取りされていてもよい。
第１反転部搬入固定ローラは２つの側面部を有し、２つの側面部が、搬入部によって搬送される方向に対して垂直な方向に変換した後の紙葉類の搬送方向に対して垂直となるように、第１反転部搬入固定ローラが設けられ、搬送部固定ローラの２つの側面部のうち、少なくとも第２反転手段に面する側の側面部とは反対側の側面部の周縁部が面取りされていてもよい。
搬送部固定ローラは２つの側面部を有し、２つの側面部が、第２反転手段によって表裏が反転された後の紙葉類の搬送方向に対して垂直となるように、搬送部固定ローラが設けられ、搬送部固定ローラの２つの側面部のうち、少なくとも第２反転手段に面する側の側面部の周縁部が面取りされていてもよい。
紙葉類表裏整理装置は、搬入部によって搬入される紙葉類の表裏を鑑別する表裏鑑別部を備え、表裏鑑別部が紙葉類を裏であると鑑別したときには、紙葉類はａ）のルートを通り、表裏鑑別部が紙葉類を表であると鑑別したときには、紙葉類はｂ）のルートを通るようにしてもよい。
【発明の効果】
【０００７】
この発明によれば、紙葉類を搬送方向に沿って表裏反転させることにより表裏反転のためのスペースを小さくすることができるので、紙葉類の表裏を反転して表裏を揃えることのできる紙葉類表裏整理装置をコンパクトにすることができる。
【図面の簡単な説明】
【０００８】
【図１】この発明の実施の形態に係る紙葉類表裏整理装置の側面図である。
【図２】図１の矢印Ａの方向から見た図である。
【図３】図１の矢印Ｂの方向から見た図である。
【図４】図１のＩＶ−ＩＶ線に沿った断面図である。
【図５】この実施の形態に係る紙葉類表裏整理装置の別の状態の側面図である。
【図６】この実施の形態に係る紙葉類表裏整理装置に設けられた第３搬送固定ローラ、方向変換固定ローラ、第７搬送固定ローラそれぞれの正面図である。
【図７】この実施の形態に係る紙葉類表裏整理装置における紙幣の軌跡を表す図である。
【発明を実施するための形態】
【０００９】
以下、この発明の実施の形態を添付図面に基づいて説明する。
この発明の実施の形態に係る紙葉類表裏整理装置を、紙幣の表裏を揃える装置を例にして説明する。この実施の形態に係る紙葉類表裏整理装置である紙幣表裏整理装置１の側面図を図１に示し、平面図を図２に示し、底面図を図３に示す。紙幣表裏整理装置１は、紙幣を紙幣表裏整理装置１内に搬入する搬入部２と、紙幣の表裏を反転する第１反転部３と、紙幣を紙幣表裏整理装置１から搬出する搬出部４と、搬入部２と第１反転部３との間に設けられた方向変換反転部５と、方向変換反転部５と第１反転部３との間に設けられた搬送部６と、搬送部６によって搬送された紙幣の表裏を反転する第２反転部７とを備えている。また、紙幣表裏整理装置１には、紙幣が搬入部２に搬入される前に紙幣の表裏を鑑別する表裏鑑別部８が設けられている。
【００１０】
搬入部２は、第１搬入手段２ａと、第２搬入手段２ｂとを備えている。第１搬入手段２ａは、回転可能に固定された第１搬送回転軸部１１と、第１搬送回転軸部１１に等間隔をあけて固定された４つの第１搬送固定ローラ１２と、第１搬送回転軸部１１の上方で第１搬送回転軸部１１に平行に回転可能に固定された第１搬入回転軸部１３と、各第１搬送固定ローラ１２に接するように第１搬入回転軸部１３に固定された４つの第１搬入固定ローラ１４とを備えている。第２搬入手段２ｂは、第１搬送回転軸部１１と平行に回転可能に固定された第２搬送回転軸部１５と、第２搬送回転軸部１５に等間隔をあけて固定された３つの第２搬送固定ローラ１６と、第２搬送回転軸部１５の上方で第２搬送回転軸部１５に平行に回転可能に固定された第２搬入回転軸部１７と、各第２搬送固定ローラ１６に接するように第２搬入回転軸部１７に固定された３つの第２搬入固定ローラ１８とを備えている。第２搬入手段２ｂと方向変換反転部５との間には、紙幣が通過したことを検知する第１センサ２０が設けられている。
【００１１】
第１反転部３は、第１反転部搬入手段２３と、第１反転手段２４とを備えている。第１反転部搬入手段２３は、第２搬送回転軸部１５と平行に回転可能に固定された第３搬送回転軸部２５と、第３搬送回転軸部２５に等間隔をあけて固定された３つの第３搬送固定ローラ２６（図１には１つのみ図示されている）と、各第３搬送固定ローラ２６に接するか又は離れるように可動な３つの搬入可動ローラ２７とを備えている。また第１反転部搬入手段２３は、第３搬送回転軸部２５と平行に回転可能に固定された第４搬送回転軸部２８と、第４搬送回転軸部２８に等間隔をあけて固定された３つの第４搬送固定ローラ２９（図１には１つのみ図示されている）と、第４搬送回転軸部２８の上方で平行に設けられた第５搬送回転軸部３０と、第５搬送回転軸部３０に等間隔をあけて固定され、各第４搬送固定ローラ２９に接しながら回転可能に設けられた３つの第５搬送固定ローラ３１とを備えている。第１反転手段２４は、第４搬送回転軸部２８と平行に回転可能に固定された第６搬送回転軸部３５と、第６搬送回転軸部３５に等間隔をあけて固定された３つの第６搬送固定ローラ３６（図１には１つのみ図示されている）と、各第６搬送固定ローラ３６に接するように設けられたそれぞれ３つずつの第１反転ローラ３７、第２反転ローラ３８、及び第３反転ローラ３９とを備えている。
【００１２】
方向変換反転部５は、方向変換手段４１と、第２反転手段４２とを備えている。方向変換手段４１は、方向変換固定ローラ４３と、第１可動ローラ４４と、第２可動ローラ４５とからなる組合せを３組備えている。方向変換固定ローラ４３は、第２搬送回転軸部１５及び第３搬送回転軸部２５に垂直な方向に回転可能に固定された回転軸部４６に固定されている。第１可動ローラ４４及び第２可動ローラ４５はそれぞれ、方向変換固定ローラ４３に対して反対側に位置している。方向変換固定ローラ４３と、第１可動ローラ４４と、第２可動ローラ４５とはそれぞれ、それらの側面が、第２搬送固定ローラ１６と垂直になるように配置されている。
【００１３】
図４に示されるように、方向変換反転部５の第２反転手段４２は、回転軸部４６と平行に回転可能に固定された反転回転軸部４７と、反転回転軸部４７に等間隔をあけて固定された２つの反転送りローラ４８（図１には１つのみ図示されているが、図２及び３には２つ図示されている）と、各反転送りローラ４８に接するように設けられたそれぞれ２つずつの第４反転ローラ４９、第５反転ローラ５０、及び第６反転ローラ５１とを備えている。第２反転手段４２には、反転送りローラ４８と第５反転ローラ５０とにより搬送された紙幣が通過したことを検知する第２センサ５２が設けられている。
【００１４】
図１及び３に示されるように、搬送部６は、第３搬送回転軸部２５の下方で平行に設けられた第７搬送回転軸部６１と、第７搬送回転軸部６１に等間隔をあけて固定された３つの第７搬送固定ローラ６２（図１及び３には１つのみ図示されているが、図４に３つ図示されている）と、各第７搬送固定ローラ６２に接するか又は離れるように可動な３つの搬送可動ローラ６３とを備えている。
【００１５】
第２反転部７は、第４搬送回転軸部２８の下方で平行に設けられた第８搬送回転軸部６４と、第８搬送回転軸部６４に等間隔をあけて固定された３つの第８搬送固定ローラ６５（図１には１つのみ図示されている）と、各第８搬送固定ローラ６５に接するように設けられた第７反転ローラ６６とを備えている。また、搬出部４は、第８搬送回転軸部６４の下方で平行に設けられた第９搬送回転軸部６７と、第９搬送回転軸部６７に等間隔をあけて固定された３つの第９搬送固定ローラ６８（図１には１つのみ図示されている）と、各第９搬送固定ローラ６８に接するように設けられた第１搬出固定ローラ６９及び第２搬出固定ローラ７０とを備えている。
【００１６】
図１及び２に示されるように、３つの第１可動ローラ４４と３つの搬入可動ローラ２７とは、シーソーリンク７１により連結されており、３つの第２可動ローラ４５と３つの搬送可動ローラ６３とは、シーソーリンク７２により連結されている。シーソーリンク７１，７２はそれぞれ、ソレノイド７５，７６から伸縮可能なピストン７３，７４に連結されている。図１に示された状態では、ソレノイド７５，７６がそれぞれピストン７３，７４を伸ばすことにより、各搬入可動ローラ２７及び各搬送可動ローラ６３がそれぞれ各第３搬送固定ローラ２６及び各第７搬送固定ローラ６２に接すると共に、各第１可動ローラ４４及び各第２可動ローラ４５が各方向変換固定ローラ４３から離れている。また、図５に示された状態では、ソレノイド７５，７６がそれぞれピストン７３，７４を縮めることにより、各搬入可動ローラ２７及び各搬送可動ローラ６３がそれぞれ各第３搬送固定ローラ２６及び各第７搬送固定ローラ６２から離れると共に、各第１可動ローラ４４及び各第２可動ローラ４５が各方向変換固定ローラ４３に接している。
【００１７】
図１、２及び５に示されるように、ピストン７３には、ソレノイドリンク７７の一端が連結されており、ソレノイドリンク７７の他端には、紙幣の搬送を遮断する遮断部材である第１搬送ストッパ７８が回動可能に設けられている。図５に示される状態では、ピストン７３によってソレノイドリンク７７がソレノイド７５に向かって引っ張られることにより、第１搬送ストッパ７８が下方に向かって回動して、第１搬送ストッパ７８が第３搬送固定ローラ２６と第４搬送固定ローラ２９との間に挿入されている。これにより、紙幣が第１反転部搬入手段２３から第１反転手段２４へ搬送されるのを遮断するようになる。一方、図１に示される状態では、ピストン７３によってソレノイドリンク７７がソレノイド７５と反対方向に押されることにより、第１搬送ストッパ７８が第３搬送固定ローラ２６と第４搬送固定ローラ２９との間から上方に向かって回動することにより、紙幣が第１搬送ストッパ７８に邪魔されずに、第１反転部搬入手段２３から第１反転手段２４へ搬送可能となる。
【００１８】
図４に示されるように、方向変換反転部５の方向変換手段４１には、第２反転手段４２とは反対側に、方向変換固定ローラ４３及び第２可動ローラ４５による紙幣の搬送を遮断する第２搬送ストッパ８０が設けられている。第２搬送ストッパ８０は、シーソーリンク７２に連結されており、シーソーリンク７２の動きに応じて、矢印ａ及びｂの方向に回動可能になっている。第２可動ローラ４５が方向変換固定ローラ４３に接する状態では、第２搬送ストッパ８０は、各方向変換固定ローラ４３と各第２可動ローラ４５とが接している部分の延長線上に位置し、第２可動ローラ４５が方向変換固定ローラ４３から離れた状態になると、第２搬送ストッパ８０は、矢印ｂの方向に回動して、当該延長線よりも下方に位置するようになる。
【００１９】
図６（ａ）に示されるように、第３搬送固定ローラ２６は、両側面２６ａ，２６ｂの周縁部が面取りされた構成を有している。また、図６（ｂ）に示されるように、方向変換固定ローラ４３も、両側面４３ａ，４３ｂの周縁部が面取りされた構成を有している。さらに、図６（ｃ）に示されるように、第７搬送固定ローラ６２も、両側面６２ａ，６２ｂの周縁部が面取りされた構成を有している。ここで、「面取り」とは、図６（ａ）〜（ｃ）に示されるような平面状に傾斜している構成に限定するものではなく、円弧状に膨らんだ構成や、傾斜角の異なる複数の平面状の傾斜が複数連結した構成も含むものとする。
【００２０】
次に、この実施の形態に係る紙葉類表裏整理装置の動作について説明する。
紙幣は、その長手方向に対して垂直な向きで紙幣表裏整理装置１内に搬送される。紙幣が紙幣表裏整理装置１内に搬入される前に、表裏鑑別部８は、紙幣の表裏を鑑別する。紙幣が表の状態か裏の状態かに応じて、紙幣表裏整理装置１内での紙幣の搬送経路が異なるので、以下に、紙幣が表の状態か裏の状態かにわけて、紙幣の搬送経路を説明する。
【００２１】
表裏鑑別部８が紙幣を裏の状態であると鑑別した場合には、図１に示されるように、紙幣は、搬入部２において第１搬送固定ローラ１２と第１搬入固定ローラ１４との間及び第２搬送固定ローラ１６と第２搬入固定ローラ１８との間を通過する。第１センサ２０が紙幣の通過を検知すると、ソレノイド７５がピストン７３を伸ばすことにより、各搬入可動ローラ２７が各第３搬送固定ローラ２６に接すると共に、各第１可動ローラ４４が各方向変換固定ローラ４３から離れた状態となる。この状態では、紙幣は第１可動ローラ４４と方向変換固定ローラ４３との間に挟まれないので、搬入部２によって搬送された紙幣は、方向変換反転部５を通り越すことになる。
【００２２】
方向変換反転部５を通り越した紙幣は、第１反転部３に搬送される。第１反転部３に搬送された紙幣は、第１反転部搬入手段２３において搬入可動ローラ２７と第３搬送固定ローラ２６との間及び第５搬送固定ローラ３１と第４搬送固定ローラ２９との間を通過して第１反転手段２４に搬送される。第１反転手段２４において、紙幣は、第１反転ローラ３７と第６搬送固定ローラ３６との間、第２反転ローラ３８と第６搬送固定ローラ３６との間、第３反転ローラ３９と第６搬送固定ローラ３６との間を順次搬送されることにより、搬送方向に沿って表裏反転されて表天状態となる。第３反転ローラ３９と第６搬送固定ローラ３６との間を通過した紙幣は、第１反転部搬入手段２３によって搬送される方向とは１８０度反対の方向に搬送され、搬出部４において第９搬送固定ローラ６８と第２搬出固定ローラ７０とによって、紙幣表裏整理装置１から表状態で搬出される。
【００２３】
尚、方向変換固定ローラ４３の側面４３ａ及び４３ｂが紙幣の搬送方向に対して垂直に面しているので、紙幣が方向変換反転部５を通り越す際、紙幣の搬送方向に対する先端部が方向変換固定ローラ４３の側面４３ａに衝突する可能性がある。しかし、方向変換固定ローラ４３の側面４３ａ及び４３ｂの周縁部が面取りされていることにより、紙幣の先端部は、面取りされた周縁部に沿って移動することができるので、紙幣がスムーズに方向変換固定ローラ４３を通り越すことができ、従って、紙幣が方向変換固定ローラ４３の側面４３ａで押しつぶされることを防止できる。尚、この実施の形態では、紙幣は、方向変換固定ローラ４３の側面４３ｂには衝突することはないので、方向変換固定ローラ４３の側面４３ａの周縁部のみを面取りしてもよい。
【００２４】
一方、表裏鑑別部８が紙幣を表の状態であると鑑別した場合には、図５に示されるように、第１センサ２０が紙幣の通過を検知したタイミングで、ソレノイド７５がピストン７３を縮めることにより、各搬入可動ローラ２７が各第３搬送固定ローラ２６から離れると共に、各第１可動ローラ４４が各方向変換固定ローラ４３に接する状態となる。この状態では、搬入部２によって搬送された紙幣は、方向変換反転部５において、第１可動ローラ４４と方向変換固定ローラ４３とによって挟まれ、これらによって搬送されるようになる。尚、後述するタイミングで、ソレノイド７６がピストン７４を縮めることにより、各搬送可動ローラ６３が各第７搬送固定ローラ６２から離れると共に、各第２可動ローラ４５が各方向変換固定ローラ４３に接する状態となる。
【００２５】
表状態の紙幣は、搬入部２によって搬送された後、図４に示されるように、方向変換反転部５において、第１可動ローラ４４と方向変換固定ローラ４３とによって搬送されることにより、搬入部２によって搬送される方向に対して垂直の方向に搬送方向が変換される。第１可動ローラ４４と方向変換固定ローラ４３とによって搬送された紙幣は、第２反転手段４２に搬入される。第２反転手段４２において、紙幣は、第４反転ローラ４９と反転送りローラ４８との間、第５反転ローラ５０と反転送りローラ４８との間、第６反転ローラ５１と反転送りローラ４８との間を順次搬送されることにより、搬送方向に沿って表裏反転されて裏状態となる。
【００２６】
紙幣が第５反転ローラ５０と反転送りローラ４８との間を搬送された後、第２センサ５２が紙幣の通過を検知すると、このタイミングで、ソレノイド７６がピストン７４を縮めることにより、各第２可動ローラ４５を各方向変換固定ローラ４３に接する状態にする。すると、第６反転ローラ５１と反転送りローラ４８とにより搬送された紙幣は、第２可動ローラ４５と方向変換固定ローラ４３とにより搬送され、やがて搬送方向に対する紙幣の先端部が第２搬送ストッパ８０に衝突する。このタイミングで、ソレノイド７６がピストン７４を伸ばすことにより、各第２可動ローラ４５が各方向変換固定ローラ４３から離れて、紙幣が第２可動ローラ４５と方向変換固定ローラ４３とにより搬送されなくなる。各第２可動ローラ４５が各方向変換固定ローラ４３から離れると、図１に示されるように、搬送可動ローラ６３が第７搬送固定ローラ６２に接するようになるので、紙幣が搬送可動ローラ６３と第７搬送固定ローラ６２との間に挟まれて、第２反転部７へ搬送されるようになる。第２反転部７において、紙幣は、第８搬送固定ローラ６５と第７反転ローラ６６との間を搬送され、続いて、搬出部４において、第９搬送固定ローラ６８と第１搬出固定ローラ６９との間及び第９搬送固定ローラ６８と第２搬出固定ローラ７０との間を順次搬送されることにより、搬送方向に沿って表裏反転されて表状態となり、紙幣表裏整理装置１から表状態で搬出される。
【００２７】
尚、図４に示されるように、紙幣が方向変換固定ローラ４３と第１可動ローラ４４とによって搬送される際と、紙幣が方向変換固定ローラ４３と第２可動ローラ４５とによって搬送される際とのそれぞれにおいて、紙幣は、第３搬送固定ローラ２６の側面２６ａと第７搬送固定ローラ６２の側面６２ｂとのそれぞれに対して垂直な方向に移動する。これらの際、紙幣の搬送方向に対する先端部が第３搬送固定ローラ２６の側面２６ａまたは第７搬送固定ローラ６２の側面６２ｂに衝突する可能性があるが、第３搬送固定ローラ２６の側面２６ａの周縁部が面取りされていると共に第７搬送固定ローラ６２の側面６２ｂの周縁部が面取りされていることにより、紙幣の先端部は、面取りされた周縁部に沿って移動することができるので、紙幣がスムーズに第３搬送固定ローラ２６及び第７搬送固定ローラ６２を通り越すことができ、従って、紙幣が第３搬送固定ローラ２６の側面２６ａまたは第７搬送固定ローラ６２の側面６２ｂで押しつぶされることを防止できる。尚、この実施の形態では、紙幣は、第３搬送固定ローラ２６の側面２６ｂ及び第７搬送固定ローラ６２の側面６２ａには衝突することはないので、第３搬送固定ローラ２６の側面２６ａの周縁部のみ及び第７搬送固定ローラ６２の側面６２ｂの周縁部のみを面取りしてもよい。
【００２８】
また、図５に示されるように、第１可動ローラ４４が方向変換固定ローラ４３に接する状態となって、これらによって紙幣の搬送方向が変換される場合、第１搬送ストッパ７８が、第３搬送固定ローラ２６と第４搬送固定ローラ２９との間に挿入される。これにより、紙幣が第１反転部３に搬送されるのを防止する。図５の状態では、搬入部２によって搬送された紙幣は、方向変換反転部５において、第１可動ローラ４４及び方向変換固定ローラ４３によって第２反転手段４２へ搬送されるので、原則として第１反転部３に搬送されることはないが、搬入部２によって搬送された紙幣が斜めに傾いた状態であると、紙幣の一部が第４搬送固定ローラ２９と第５搬送固定ローラ３１とによって挟まれて第１反転部３に送られてしまうおそれがある。しかし、第１搬送ストッパ７８が、第３搬送固定ローラ２６と第４搬送固定ローラ２９との間に挿入された状態であることにより、斜めに傾いた状態で搬送される紙幣は、第１搬送ストッパ７８に衝突して斜めに傾いた状態が直されることになる。
【００２９】
尚、紙幣表裏整理装置１内において、裏状態の紙幣が表状態に反転されるための軌跡を図７（ａ）に示し、表状態の紙幣が表状態で搬出されるための軌跡を図７（ｂ）に示す。
【００３０】
このように、紙幣を搬送方向に沿って表裏反転させることにより表裏反転のためのスペースを小さくすることができるので、紙幣の表裏を反転して表裏を揃えることのできる紙幣表裏整理装置をコンパクトにすることができる。
【００３１】
この実施の形態では、紙葉類表裏整理装置として、紙幣の表裏を揃える紙幣表裏整理装置１を例にして説明したが、これに限定するものではない。紙葉類は紙幣に限定するものではなく、投票用紙等、任意のものであってもよく、従って、紙葉類表裏整理装置は、紙葉類の種類に応じて、投票用紙表裏整理装置等、紙葉類の表裏を揃えることのできる任意のものであってもよい。
【符号の説明】
【００３２】
１  紙幣表裏整理装置（紙葉類表裏整理装置）、２  搬入部、３  第１反転部、４  搬出部、５  方向変換反転部、６  搬送部、７  第２反転部、８  表裏鑑別部、２３  第１反転部搬入手段、２４  第１反転手段、２６  第３搬送固定ローラ（第１反転部搬入固定ローラ）、２６ａ，２６ｂ  （第３搬送固定ローラの）側面、２７  搬入可動ローラ（第１反転部搬入可動ローラ）、４１  方向変換手段、４２  第２反転手段、４３  方向変換固定ローラ、４３ａ，４３ｂ  （方向変換固定ローラの）側面、４４  第１可動ローラ、４５  第２可動ローラ、６２  第７搬送固定ローラ（搬送部固定ローラ）、６２ａ，６２ｂ  （第７搬送固定ローラの）側面、６３  搬送可動ローラ（搬送部可動ローラ）、７８  第１搬送ストッパ（遮断部材）。
【図１】
2012121656.tif 000003
【図２】
2012121656.tif 000004
【図３】
2012121656.tif 000005
【図４】
2012121656.tif 000006
【図５】
2012121656.tif 000007
【図６】
2012121656.tif 000008
【図７】
2012121656.tif 000009